(57)【要約】【課題】所定の状態又は処理と関連付けられた関連情報として設定する画像の生成を簡便に行う。【解決手段】各種の状態又は処理と関連付けられた関連情報を表示する表示部６を備える撮像装置１００であって、電子撮像部２により生成された画像データに基づいて、当該画像データに係る記録画像やライブビュー画像中の特徴物を検出する処理と、検出された特徴物を抽出して当該特徴物に係るアイコン画像を生成する処理と、生成されたアイコン画像を関連情報として設定する処理とを行うＣＰＵ１２を備える。【選択図】図１
2010087760.tif 000002
【特許請求の範囲】
【請求項１】
当該装置における所定の状態又は所定の処理と関連付けられた関連情報を表示する表示手段と、
被写体を撮像して画像データを生成する画像データ生成手段と、
この画像データ生成手段によって生成された画像データに係る被写体画像中の特徴物を検出する検出手段と、
この検出手段により検出された特徴物を抽出して当該特徴物に係る特徴物画像を生成する画像生成手段と、
この画像生成手段により生成された特徴物画像を前記関連情報として設定する設定手段と、
を備えること特徴とする撮像装置。
【請求項２】
前記表示手段は、前記画像データ生成手段により生成された被写体画像を更に表示するとともに、この表示された被写体画像中における前記検出手段が検出すべき特徴物を指示する指示手段を備えることを特徴とする請求項１に記載の撮像装置。
【請求項３】
前記画像データ生成手段は、順次被写体を撮像して画像データを生成し、
前記指示手段は、この順次生成される画像データに係る被写体画像中における前記検出手段が検出すべき特徴物を指示することを特徴とする請求項２に記載の撮像装置。
【請求項４】
前記特徴物画像の形状を指定する指定手段を更に備え、
前記検出手段は、前記指定手段により指定された形状に対応する特徴物を前記被写体画像の中から検出することを特徴とする請求項１〜３の何れか一項に記載の撮像装置。
【請求項５】
前記画像生成手段は、前記検出手段により前記特徴物が複数検出された場合に、これら複数の特徴物のうち、最も大きい特徴物に係る特徴物画像を生成することを特徴とする請求項１〜４の何れか一項に記載の撮像装置。
【請求項６】
前記画像生成手段は、前記検出手段により前記特徴物が複数検出された場合に、前記複数の特徴物のうち、前記被写体画像内で最も中央に位置する特徴物に係る特徴物画像を生成することを特徴とする請求項１〜４の何れか一項に記載の撮像装置。
【請求項７】
前記検出手段により前記特徴物が複数検出された場合、前記関連情報として設定する特徴物を選択指示する選択指示手段を備え、
前記画像生成手段は、前記選択指示手段により選択指示された前記特徴物の特徴物画像を生成することを特徴とする請求項１〜４の何れか一項に記載の撮像装置。
【請求項８】
前記設定手段により前記関連情報として設定された前記特徴物画像の前記表示手段における表示態様を、当該関連情報と関連付けられた所定の状態又は処理の状況に応じて変化させる表示制御手段を更に備えることを特徴とする請求項１〜７の何れか一項に記載の撮像装置。
【請求項９】
前記設定手段は、フォーカス枠、バッテリー残量、メモリ残量、セルフタイマー、ストロボのうちの何れか一の状態又は処理に対応した前記関連情報として、前記画像生成手段により生成された前記特徴物画像を設定することを特徴とする請求項１〜８の何れか一項に記載の撮像装置。
【請求項１０】
当該装置における所定の状態又は処理と関連付けられた関連情報を表示する表示手段と、被写体を撮像して画像データを生成する画像データ生成手段と、を備える撮像装置に、
前記画像データに係る被写体画像中の特徴物を検出するステップと、
検出された特徴物を抽出して当該特徴物に係る特徴物画像を生成するステップと、
生成された特徴物画像を前記関連情報として設定するステップと、
を実行させることを特徴とする撮像方法。
【請求項１１】
当該装置における所定の状態又は処理と関連付けられた関連情報を表示する表示手段と、被写体を撮像して画像データを生成する画像データ生成手段と、を備える撮像装置のコンピュータを、
前記画像データに係る被写体画像中の特徴物を検出する検出手段、
前記検出手段により検出された特徴物を抽出して当該特徴物に係る特徴物画像を生成する画像生成手段、
前記画像生成手段により生成された特徴物画像を前記関連情報として設定する設定手段、
として機能させることを特徴とするプログラム。
【発明の詳細な説明】
【技術分野】
【０００１】
本発明は、撮像装置、表示方法及びプログラムに関する。
【背景技術】
【０００２】
従来、撮像装置として、表示部に表示されるアイコンをユーザがカスタマイズできるものが知られている。具体的には、撮影画像内の指定範囲を切り出して、アイコンとして設定する（例えば、特許文献１参照）。
【特許文献１】特開２００６−３２５００８号公報
【発明の開示】
【発明が解決しようとする課題】
【０００３】
しかしながら、上記特許文献１にあっては、ユーザによる所定のキー操作によって撮影画像からアイコンとして使用する範囲を指定しなければならず、その作業が煩雑であるという問題があった。
【０００４】
そこで、本発明の課題は、所定の状態又は処理と関連付けられた関連情報として設定する画像の生成を簡便に行うことができる撮像装置、表示方法及びプログラムを提供することである。
【課題を解決するための手段】
【０００５】
上記課題を解決するため、請求項１に記載の発明の撮像装置は、
当該装置における所定の状態又は所定の処理と関連付けられた関連情報を表示する表示手段と、被写体を撮像して画像データを生成する画像データ生成手段と、この画像データ生成手段によって生成された画像データに係る被写体画像中の特徴物を検出する検出手段と、この検出手段により検出された特徴物を抽出して当該特徴物に係る特徴物画像を生成する画像生成手段と、この画像生成手段により生成された特徴物画像を前記関連情報として設定する設定手段と、を備えること特徴としている。
【０００６】
請求項２に記載の発明は、請求項１に記載の撮像装置において、
前記表示手段は、前記画像データ生成手段により生成された被写体画像を更に表示するとともに、この表示された被写体画像中における前記検出手段が検出すべき特徴物を指示する指示手段を備えることを特徴としている。
【０００７】
請求項３に記載の発明は、請求項２に記載の撮像装置において、
前記画像データ生成手段は、順次被写体を撮像して画像データを生成し、前記指示手段は、この順次生成される画像データに係る被写体画像中における前記検出手段が検出すべき特徴物を指示することを特徴としている。
【０００８】
請求項４に記載の発明は、請求項１〜３の何れか一項に記載の撮像装置において、
前記特徴物画像の形状を指定する指定手段を更に備え、前記検出手段は、前記指定手段により指定された形状に対応する特徴物を前記被写体画像の中から検出することを特徴としている。
【０００９】
請求項５に記載の発明は、請求項１〜４の何れか一項に記載の撮像装置において、
前記画像生成手段は、前記検出手段により前記特徴物が複数検出された場合に、これら複数の特徴物のうち、最も大きい特徴物に係る特徴物画像を生成することを特徴としている。
【００１０】
請求項６に記載の発明は、請求項１〜４の何れか一項に記載の撮像装置において、
前記画像生成手段は、前記検出手段により前記特徴物が複数検出された場合に、前記複数の特徴物のうち、前記被写体画像内で最も中央に位置する特徴物に係る特徴物画像を生成することを特徴としている。
【００１１】
請求項７に記載の発明は、請求項１〜４の何れか一項に記載の撮像装置において、
前記検出手段により前記特徴物が複数検出された場合、前記関連情報として設定する特徴物を選択指示する選択指示手段を備え、前記画像生成手段は、前記選択指示手段により選択指示された前記特徴物の特徴物画像を生成することを特徴としている。
【００１２】
請求項８に記載の発明は、請求項１〜７の何れか一項に記載の撮像装置において、
前記設定手段により前記関連情報として設定された前記特徴物画像の前記表示手段における表示態様を、当該関連情報と関連付けられた所定の状態又は処理の状況に応じて変化させる表示制御手段を更に備えることを特徴としている。
【００１３】
請求項９に記載の発明は、請求項１〜８の何れか一項に記載の撮像装置において、
前記設定手段は、フォーカス枠、バッテリー残量、メモリ残量、セルフタイマー、ストロボのうちの何れか一の状態又は処理に対応した前記関連情報として、前記画像生成手段により生成された前記特徴物画像を設定することを特徴としている。
【００１４】
請求項１０に記載の発明の撮像方法は、
当該装置における所定の状態又は処理と関連付けられた関連情報を表示する表示手段と、被写体を撮像して画像データを生成する画像データ生成手段と、を備える撮像装置に、前記画像データに係る被写体画像中の特徴物を検出するステップと、検出された特徴物を抽出して当該特徴物に係る特徴物画像を生成するステップと、生成された特徴物画像を前記関連情報として設定するステップと、を実行させることを特徴としている。
【００１５】
請求項１１に記載の発明のプログラムは、
当該装置における所定の状態又は処理と関連付けられた関連情報を表示する表示手段と、被写体を撮像して画像データを生成する画像データ生成手段と、を備える撮像装置のコンピュータを、前記画像データに係る被写体画像中の特徴物を検出する検出手段、前記検出手段により検出された特徴物を抽出して当該特徴物に係る特徴物画像を生成する画像生成手段、前記画像生成手段により生成された特徴物画像を前記関連情報として設定する設定手段、として機能させることを特徴としている。
【発明の効果】
【００１６】
本発明によれば、所定の状態又は処理と関連付けられた関連情報として設定する画像の生成を簡便に行うことができる。
【発明を実施するための最良の形態】
【００１７】
以下に、本発明について、図面を用いて具体的な態様を説明する。ただし、発明の範囲は、図示例に限定されない。
図１は、本発明を適用した一実施形態の撮像装置１００の概略構成を示すブロック図である。
【００１８】
本実施形態の撮像装置１００は、電子撮像部２により生成された画像データに係る被写体画像中の特徴物Ｏ（図７（ａ）等参照）を検出して、検出された特徴物Ｏを抽出して当該特徴物Ｏに係るアイコン画像（特徴物画像）を生成して、当該アイコン画像を各種の状態又は処理と関連付けられた関連情報として設定する。
具体的には、図１に示すように、撮像装置１００は、撮像レンズ部１、電子撮像部２と、撮像処理部３と、画像処理部４と、記録媒体５と、表示部６と、表示処理部７と、操作入力部８と、テーブル記憶部９と、データメモリ１０と、プログラムメモリ１１と、ＣＰＵ１２とを備えている。
【００１９】
撮像レンズ部１は、複数のレンズから構成され、ズームレンズ１ａやフォーカスレンズ１ｂ等を備えている。また、撮像レンズ部１は、被写体の撮像の際に、ズームレンズ１ａを光軸方向に移動させるズーム駆動部１ｃ、フォーカスレンズ１ｂを光軸方向に移動させる合焦駆動部１ｄ等を備えている。
【００２０】
電子撮像部２は、画像データ生成手段として、被写体を撮像して画像フレームを生成する。また、電子撮像部２は、撮像レンズ部１の複数のレンズを通過した被写体像を二次元の画像信号に変換するＣＣＤ（Charge Coupled Device）やＣＭＯＳ（Complementary Metal-oxide Semiconductor）等から構成されている。
【００２１】
撮像処理部３は、図示は省略するが、タイミング発生器、垂直ドライバなどを備えている。そして、撮像処理部３は、タイミング発生器、垂直ドライバにより電子撮像部２を走査駆動させて、所定周期毎に被写体像を電子撮像部２により二次元の画像信号に変換させて、当該電子撮像部２の撮像領域から１画面分ずつ画像フレームを読み出して、画像処理部４に出力させる。
【００２２】
また、撮像時にライブビュー画像Ｇ（図４（ａ）等参照）の表示を行う場合には、撮像処理部３は、電子撮像部２により被写体を所定の撮像フレームレートで連続して撮像させて、ライブビュー画像表示用の画像フレームを逐次生成させる。
【００２３】
また、撮像処理部３は、ＡＥ（自動露出処理）、ＡＦ（自動合焦処理）、ＡＷＢ（自動ホワイトバランス）の制御などを行う。
【００２４】
画像処理部４は、撮像処理部３から転送された画像フレームに基づいて、画質調整処理や解像度変換処理や画像圧縮処理等を行って表示用画像データや記録用画像データを生成する。具体的には、画像処理部４は、撮像処理部３から転送された画像フレームのアナログ値の信号に対してＲＧＢの各色成分毎に適宜ゲイン調整した後に、サンプルホールド回路でサンプルホールドして、Ａ／Ｄ変換器でデジタルデータに変換して、カラープロセス回路で画素補間処理及びγ補正処理を含むカラープロセス処理を行った後、デジタル値の輝度信号Ｙ及び色差信号Ｃｂ，Ｃｒを生成する。
カラープロセス回路から出力される輝度信号Ｙ及び色差信号Ｃｂ，Ｃｒは、図示しないＤＭＡコントローラを介して、バッファメモリとして使用されるデータメモリ１０にＤＭＡ転送される。
【００２５】
記録媒体５は、例えば、不揮発性メモリ（フラッシュメモリ）等により構成され、画像処理部４のＪＰＥＧ圧縮部（図示略）により符号化された本撮像画像の記録用画像データを記憶する。
【００２６】
表示処理部７は、データメモリ１０に一時的に記憶されている表示用データを読み出して表示部６に表示させる制御を行う。具体的には、表示処理部７は、ＶＲＡＭ、ＶＲＡＭコントローラ、デジタルビデオエンコーダなどを備えている。そして、デジタルビデオエンコーダは、ＣＰＵ１２の制御下にてデータメモリ１０から読み出されてＶＲＡＭ（図示略）に記憶されている輝度信号Ｙ及び色差信号Ｃｂ，Ｃｒを、ＶＲＡＭコントローラを介してＶＲＡＭから定期的に読み出して、これらのデータを元にビデオ信号を発生して表示部６に出力する。
【００２７】
表示部６は、表示処理部７からのビデオ信号に基づいて電子撮像部２により撮像された画像Ｆなどを表示画面６ａ（図３（ａ）等参照）に表示する。具体的には、表示部６は、撮像モードにて、電子撮像部２による被写体の撮像により生成された複数の画像フレームに基づいてライブビュー画像Ｇを表示したり、本撮像画像として撮像されたレックビュー画像を表示する。また、表示部６は、再生モードにて、記録媒体５に記憶されている本撮像画像の画像データに基づいて記録画像Ｆを表示する。
【００２８】
また、表示部６は、自動合焦処理等の各種状態又は処理と関連付けられた関連情報を表示画面６ａに表示する。例えば、図３（ａ）に示すように、表示部６は、テーブル記憶部９に記憶されているＡＦ枠Ｉ１画像データに基づいて、ライブビュー画像Ｇの表示中に自動合焦処理におけるＡＦ対象に重畳させてＡＦ枠（関連情報）Ｉ１を表示する。また、表示部６は、テーブル記憶部９に記憶されているストロボ画像データに基づいて、ストロボマーク（関連情報）Ｉ２をライブビュー画像Ｇの左上隅部に表示する。また、表示部６は、テーブル記憶部９に記憶されている電子残量画像データに基づいて、電池残量マーク（関連情報）Ｉ３をライブビュー画像Ｇの左下隅部に表示する。
なお、後述するアイコン生成処理にて、アイコン画像が生成されて設定されると、ＡＦ枠Ｉ１、ストロボマークＩ２、電池残量マークＩ３に代えてそれぞれ設定されたＡＦ枠Ｉ１Ａ、ストロボマークＩ２Ａ、電池残量マークＩ３Ａが表示される（図３（ｂ）参照）。
【００２９】
ここで、関連情報としては、上記したＡＦ枠Ｉ１、ストロボマークＩ２、電池残量マークＩ３の他に、メモリ残量マーク、セルフタイマーマーク等が挙げられる。即ち、関連情報は、自動合焦処理、バッテリー残量表示処理、ストロボ発光処理、メモリ残量表示処理、セルフタイマー撮像処理等の各種の状態又は処理と関連付けられた関連情報であれば如何なるものであっても良い。
【００３０】
操作入力部８は、当該撮像装置１００の所定操作を行うためのものであり、被写体の撮像指示に係るシャッターボタン８ａ、機能選択や表示設定等に係るメニュー画面の表示指示に係るメニューボタン８ｂ、動作モード等の選択や決定指示に係る選択決定ボタン８ｃ等を備え、これらのボタンの各操作に応じて所定の操作信号をＣＰＵ１２に出力する。
【００３１】
ＣＰＵ１２は、撮像装置１００の各部を制御するものである。具体的には、ＣＰＵ１２は、プログラムメモリ１１に記憶された撮像装置１００用の各種処理プログラムに従って各種の制御動作を行うものである。
【００３２】
データメモリ１０は、例えば、フラッシュメモリ等により構成され、ＣＰＵ１２によって処理されるデータ等を一時記憶する。
【００３３】
テーブル記憶部９は、アイコン画像テーブルＴ１、アイコン形状テーブルＴ２等を記憶している。
アイコン画像テーブルＴ１は、各種アイコンの画像と各種の状態又は処理の状況に応じた変化内容を対応付けて記憶している。具体的には、アイコン画像テーブルＴ１は、例えば、図２（ａ）に示すように、自動合焦処理の合焦判定領域に係る「ＡＦ枠」の野球ボールの画像Ｉ１Ａと、ピントが合っていない状況では当該野球ボールの画像が１／２に割れる「分割」とが対応付けられている。同様に、セルフタイマー撮像処理に係る「タイマー表示マーク」の花の画像Ｉ４Ａと、タイマーの残り時間に応じて点滅速度が変化する「点滅」や色が変化する「色変化」や次第に欠けていく「欠ける」とが対応付けられている。同様に、バッテリーの残量に係る「電池残量マーク」のバレーボールの画像Ｉ３Ａとバッテリーの残量に応じて次第に欠けていく「欠ける」とが対応付けられている。同様に、記録媒体５のメモリ容量に係る「メモリ残量マーク」のデフォルト画像（図示略）とメモリ残量に応じて次第に欠けていく「欠ける」とが対応付けられている。同様に、ストロボ発光に係る「ストロボマーク」のサッカーボールの画像Ｉ２Ａと「変化なし」とが対応付けられている。
【００３４】
アイコン形状テーブルＴ２は、各種アイコンの基準形状を規定するものである。具体的には、アイコン形状テーブルＴ２は、アイコンの種類とアイコン生成処理の基準形状を対応付けて記憶している。例えば、図２（ｂ）に示すように、「ＡＦ枠Ｉ１」の基準形状として「矩形」又は「円形」が対応付けられ、「タイマー表示マーク」の基準形状として「円形」が対応付けられ、「電池残量マークＩ３」の基準形状として「矩形」又は「円形」が対応付けられ、「メモリ残量マーク」の基準形状として「矩形」又は「円形」が対応付けられ、「ストロボマークＩ２」の基準形状として「円形」が対応付けられている。
なお、上記アイコン画像テーブルＴ１及びアイコン形状テーブルＴ２は、一例であってこれに限られるものではなく、適宜任意に変更することができる。
【００３５】
プログラムメモリ１１は、ＣＰＵ１２の動作に必要な各種プログラムやデータを記憶している。
このプログラムは、後述する合焦制御処理ルーチン、検出処理ルーチン、画像生成処理ルーチン、設定処理ルーチン、表示制御処理ルーチンを含む。
ここでいうルーチンとは、コンピュータのプログラムの部分をなし、ある機能をもった一連の命令群のことである。
【００３６】
合焦制御処理ルーチンは、被写体の撮像の際のフォーカスレンズ１ｂの合焦位置を調整する自動合焦処理に係る機能をＣＰＵ１２に実現させるための命令群を含む。
具体的には、合焦制御処理ルーチンにより、ＣＰＵ１２は、撮像処理部３の制御下にて電子撮像部２により生成された画像フレームを取得して、当該画像フレームにおける自動合焦処理の判定に係るＡＦ枠Ｉ１内（合焦判定領域）の画像にピントが合うように、合焦駆動部１ｄによりフォーカスレンズ１ｂを光軸方向に移動させてコントラストＡＦ方式により合焦位置を調整する自動合焦処理を行う。
ここで、ＣＰＵ１２、電子撮像部２、撮像処理部３及び合焦駆動部１ｄは、合焦制御手段を構成している。
【００３７】
検出処理ルーチンは、電子撮像部２により撮像され生成された画像データに基づいて、当該画像データに係る画像中の特徴物Ｏを検出する検出処理に係る機能をＣＰＵ１２に実現させるための命令群を含む。
即ち、ＣＰＵ１２は、検出処理ルーチンにより、画像データの色情報などを用いてコントラスト変化から画像中の花やボールといった特徴物Ｏを特定して検出する。具体的には、検出処理ルーチンにより、ＣＰＵ１２は、第１アイコン生成モード及び第２アイコン生成モードにて、表示部６に記録画像Ｆが表示されている際に、ユーザによる操作入力部（指示手段）８の所定操作に基づいてアイコンの生成指示が入力されると、表示部６に表示されている記録画像（被写体画像）Ｆ中の特徴物Ｏを検出する（図７（ａ）参照）。また、ＣＰＵ１２は、第３アイコン生成モードにて、電子撮像部２による被写体の撮像の際に、ユーザによる操作入力部（指定手段）８の所定操作に基づいてアイコン画像（特徴物画像）の設定に係るアイコンが指定されると、当該アイコンの形状をアイコン形状テーブルＴ２から取得して、当該アイコンの形状に対応する特徴物Ｏを電子撮像部２により生成された画像データに係るライブビュー画像（被写体画像）Ｇ中から検出する。
ここで、ＣＰＵ１２、電子撮像部２及び表示部６は、検出手段を構成している。
【００３８】
画像生成処理ルーチンは、ＣＰＵ１２を画像生成手段として機能させるためのプログラム部分である。即ち、画像生成処理ルーチンは、検出処理にて検出された特徴物Ｏを含む特徴物部分を抽出して当該特徴物部分に係るアイコン画像（特徴物画像）を生成する画像生成処理に係る機能をＣＰＵ１２に実現させるための命令群を含む。
具体的には、画像生成処理ルーチンにより、ＣＰＵ１２は、第１アイコン生成モードにて、検出処理にて検出された複数の特徴物Ｏ、…のうち、被写体画像内で最も大きい形状や、最も中央に位置する特徴物Ｏを特定して、当該特徴物Ｏを含む特徴物部分に係るアイコン画像を生成する。また、ＣＰＵ１２は、第２アイコン生成モードや第３アイコン生成モードにて、検出処理にて検出された複数の特徴物Ｏ、…の中で、ユーザによる操作入力部（選択指示手段）８の所定操作に基づいて選択指示されたアイコンの設定に係る特徴物Ｏを含む特徴物部分のアイコン画像（例えば、「ＡＦ枠」の野球ボールの画像Ｉ１Ａ等）を生成する。
【００３９】
設定処理ルーチンは、画像生成処理にて生成されたアイコン画像を関連情報として設定する設定処理に係る機能をＣＰＵ１２に実現させるための命令群を含む。
具体的には、設定処理ルーチンにより、ＣＰＵ１２は、画像生成処理にて生成されたアイコン画像（例えば、「ＡＦ枠」の野球ボールの画像Ｉ１Ａ等）をテーブル記憶部９のアイコン画像テーブルＴ１に書き込んで、自動画像処理等の各種の状態又は処理と関連付けられたＡＦ枠等の関連情報として設定する。
ここで、ＣＰＵ１２、テーブル記憶部９は、設定手段を構成している。
【００４０】
表示制御処理ルーチンは、設定処理にて関連情報として設定されたアイコン画像の表示部６における表示態様を、当該関連情報と関連付けられた各種の状態又は処理の状況に応じて変化させる表示制御処理に係る機能をＣＰＵ１２に実現させるための命令群を含む。
具体的には、表示制御処理ルーチンにより、ＣＰＵ１２は、テーブル記憶部９のアイコン画像テーブルＴ１を参照して、表示部６に表示されるアイコン画像の数、大きさ、形状及び色のうち、少なくとも何れか一を各種の状態又は処理の状況に応じて変化させたり、当該アイコン画像を各種の状態又は処理の状況に応じて点滅させる。
例えば、ＣＰＵ１２は、セルフタイマーモードにて撮像する場合に、タイマー表示マークとして設定されている花のアイコン画像Ｉ４Ａがタイマーの残り時間に応じて次第に欠けていくように、先ず、花のアイコン画像Ｉ４Ａ全体をライブビュー画像Ｇに重畳表示し（図４（ａ）参照）、次に、花びらが１／４欠けた花のアイコン画像Ｉ４Ａを画像処理部４に生成させて、当該画像Ｉ４Ａをライブビュー画像Ｇに重畳表示させ（図４（ｂ）参照）、次に、花びらが１／２欠けた花のアイコン画像Ｉ４Ａ（図４（ｃ）参照）、その次に、花びらが３／４欠けた花のアイコン画像Ｉ４Ａ（図４（ｄ）参照）、その次に、花のアイコン画像Ｉ４Ａが何も表示されないように（即ち、全てのアイコン画像が欠けた表示となる；図４（ｅ）参照）、順次ライブビュー画像Ｇに重畳表示させる。また、例えば、ＣＰＵ１２は、花のアイコン画像Ｉ４Ａがタイマーの残り時間に応じて次第に点滅速度を速くするようにライブビュー画像Ｇに重畳させて表示部６に表示させる（図示略）。
また、例えば、ＣＰＵ１２は、自動合焦処理にてピントが合っている状況では、ＡＦ枠Ｉ１として設定されている野球ボールのアイコン画像Ｉ１Ａをライブビュー画像Ｇに重畳させてそのまま表示部６に表示させるが、ピントが合っていない状況では、野球ボールのアイコン画像Ｉ１Ａを１／２に分割した画像を画像処理部４に生成させて、当該分割画像をライブビュー画像Ｇに重畳させて表示部６に表示させる（図示略）。
ここで、ＣＰＵ１２、テーブル記憶部９及び表示部６は、表示制御手段を構成している。
【００４１】
以下に、撮像装置１００によるアイコン生成処理について図５〜図８を参照して説明する。
第１〜第３アイコン生成モード処理のうち、第１及び第２アイコン生成モード処理は、記録画像Ｆを表示画面６ａに表示する際に行われる処理であり、第３アイコン生成モード処理は、電子撮像部２による被写体の撮像の際に行われる処理である。
【００４２】
先ず、第１アイコン生成モード処理について図５を参照して説明する。
図５は、第１アイコン生成モード処理に係る動作の一例を示すフローチャートである。
【００４３】
第１アイコン生成モード処理は、ユーザによる操作入力部８の所定操作に基づいて、動作モードとして第１アイコン生成モードの実行が指示された場合に実行される処理である。
図５に示すように、電源投入後、ＣＰＵ１２は、ユーザによる操作入力部８の所定操作に基づいて、記録媒体５に記録されている記録用画像データの中から選択されたアイコンの生成に係る記録画像Ｆを表示部６に表示させる（ステップＳ１）。
続けて、ユーザによる操作入力部８の所定操作に基づいてアイコンの生成指示が入力されると（ステップＳ２）、ＣＰＵ１２は、検出処理ルーチンにより、表示部６に表示されている記録画像Ｆから、当該記録用画像データの色情報などを用いてコントラスト変化から画像中の花やボール等の複数の特徴物Ｏ、…を特定して検出する（ステップＳ３）。
【００４４】
次に、画像生成処理ルーチンにより、ＣＰＵ１２は、検出処理にて検出された複数の特徴物Ｏ、…のうち、被写体画像内で最も大きい形状の特徴物Ｏを特定して特徴物Ｏを含む特徴物部分を抽出し、当該特徴物Ｏのアイコン画像を生成する（ステップＳ４）。
その後、ユーザによる操作入力部８の所定操作に基づいて、例えば、自動合焦処理と関連付けられたＡＦ枠Ｉ１等がアイコン画像と対応付けられる処理内容として指定されると、その指定指示をＣＰＵ１２に出力する（ステップＳ５）。操作入力部８から出力された指定指示がＣＰＵ１２に入力されると、ＣＰＵ１２は、画像生成処理にて生成されたアイコン画像のサイズを指定された処理内容に合わせて、例えば、ＡＦ枠Ｉ１の基準サイズ等を考慮して調整する（ステップＳ６）。
次に、ＣＰＵ１２は、設定処理ルーチンにより、サイズ調整後のアイコン画像をテーブル記憶部９のアイコン画像テーブルＴ１に書き込んで、例えば、自動画像処理等の各種の状態又は処理と関連付けられた関連情報として設定する（ステップＳ７）。
これにより、第１アイコン生成モード処理を終了する。
【００４５】
次に、第２アイコン生成モード処理について図６及び図７を参照して説明する。
図６は、第２アイコン生成モード処理に係る動作の一例を示すフローチャートである。また、図７（ａ）及び図７（ｂ）は、第２アイコン生成モード処理における表示画面６ａの一例を示す図である。
【００４６】
第２アイコン生成モード処理は、ユーザによる操作入力部８の所定操作に基づいて、動作モードとして第２アイコン生成モードの実行が指示された場合に実行される処理である。
図６に示すように、第１アイコン生成モード処理と同様に、ＣＰＵ１２は、ユーザによる操作入力部８の所定操作に基づいて、記録媒体５に記録されている記録用画像データの中から選択されたアイコンの生成に係る記録画像Ｆを表示部６に表示させる（ステップＳ２１；図７（ａ）参照）。
続けて、第１アイコン生成モード処理と同様に、ユーザによる操作入力部８の所定操作に基づいてアイコンの生成指示が入力されると（ステップＳ２２）、ＣＰＵ１２は、検出処理ルーチンにより、表示部６に表示されている記録画像Ｆから、当該記録用画像データの色情報などを用いてコントラスト変化から画像中のボール等の複数の特徴物Ｏ、…を特定して検出する（ステップＳ２３）。
【００４７】
次に、ＣＰＵ１２は、検出処理にて検出された全ての特徴物Ｏの縁を特定して、当該縁に沿って太枠Ｅを表示することで全ての特徴物Ｏを表示部６に識別表示させる（ステップＳ２４；図７（ｂ）参照）。
その後、ユーザによる操作入力部８の所定操作に基づいてアイコンの設定に係る特徴物Ｏが選択されると、操作入力部８は、当該選択指示をＣＰＵ１２に出力する（ステップＳ２５）。操作入力部８から出力された指定指示が入力されると、ＣＰＵ１２は、画像生成処理ルーチンにより、ユーザにより選択された特徴物Ｏを含む特徴物部分を抽出して、当該特徴物Ｏのアイコン画像を生成する（ステップＳ２６）。
【００４８】
その後、第１アイコン生成モード処理と同様に、ユーザによる操作入力部８の所定操作に基づいて、例えば、自動合焦処理と関連付けられたＡＦ枠Ｉ１等がアイコン画像と対応付けられる処理内容として指定されると、操作入力部８は、当該指定指示をＣＰＵ１２に出力する（ステップＳ２７）。操作入力部８から出力された指定指示がＣＰＵ１２に入力されると、第１アイコン生成モード処理と同様に、ＣＰＵ１２は、画像生成処理にて生成されたアイコン画像のサイズを指定された処理内容に合わせて、例えば、ＡＦ枠Ｉ１の基準サイズ等を考慮して調整する（ステップＳ２８）。
次に、ＣＰＵ１２は、第１アイコン生成モード処理と同様に、設定処理ルーチンにより、サイズ調整後のアイコン画像をテーブル記憶部９のアイコン画像テーブルＴ１に書き込んで、例えば、自動画像処理等の各種の状態又は処理と関連付けられた関連情報として設定する（ステップ２９）。
これにより、第２アイコン生成モード処理を終了する。
【００４９】
次に、第３アイコン生成モード処理について図８を参照して説明する。
図８は、第３アイコン生成モード処理に係る動作の一例を示すフローチャートである。
【００５０】
第３アイコン生成モード処理は、ユーザによる操作入力部８の所定操作に基づいて、動作モードとして第３アイコン生成モードの実行が指示された場合に実行される処理である。
図８に示すように、ユーザによる操作入力部８の所定操作に基づいて、例えば、自動合焦処理と関連付けられたＡＦ枠Ｉ１等がアイコン画像と対応付けられる処理内容として指定されると、操作入力部８は、当該指定指示をＣＰＵ１２に出力する（ステップＳ３１）。操作入力部８から出力された指定指示がＣＰＵ１２に入力されると、ＣＰＵ１２は、電子撮像部２による被写体の撮像により生成された複数の画像フレームに基づいてライブビュー画像Ｇを表示部６に表示させる（ステップＳ３２）。
【００５１】
続けて、検出処理ルーチンにより、ＣＰＵ１２は、テーブル記憶部９のアイコン形状テーブルＴ２を参照して、ステップＳ３１にて指定された状態又は処理の内容に係るアイコンの形状、例えば、「ＡＦ枠Ｉ１」の基準形状として「矩形又は、円形」を取得して、当該アイコンの形状（略矩形又は、略円形の形状）をした特徴物Ｏを電子撮像部２により生成された画像データに係る撮像画像（被写体画像）中から、当該撮像画像データの色情報などを用いてコントラスト変化から検出する（ステップＳ３３）。
【００５２】
次に、ＣＰＵ１２は、第２アイコン生成モード処理と同様に、検出処理にて検出された当該アイコンの形状をした全ての特徴物Ｏの縁を特定して、当該縁に沿って太枠Ｅを表示することで、検出された全ての特徴物Ｏを表示部６に識別表示させる（ステップＳ３４）。
そして、ユーザは所望する特徴物Ｏが検出されると、シャッターボタン８ａの操作に基づいて撮像処理を指示し、操作入力部８は、当該撮像指示をＣＰＵ１２に出力する。操作入力部８から出力された撮像指示が入力されると、ＣＰＵ１２は、撮像処理を実行することにより撮像画像を取得し、取得した撮像画像をデータメモリ１０に一時記憶する（ステップＳ３５）。次に、一時記憶した撮像画像に対して再度検出処理を行い、検出された全ての特徴物Ｏを表示部６に識別表示させる（ステップＳ３６）。
その後、第２アイコン生成モード処理と同様に、ユーザによる操作入力部８の所定操作に基づいてアイコンの設定に係る特徴物Ｏが選択されると、操作入力部８は、当該選択指示をＣＰＵ１２に出力する（ステップＳ３７）。操作入力部８から出力された指定指示が入力されると、第２アイコン生成モード処理と同様に、ＣＰＵ１２は、画像生成処理ルーチンにより、ユーザにより選択された特徴物Ｏを含む特徴物部分を抽出して、当該特徴物部分に係るアイコン画像を生成する（ステップＳ３８）。
【００５３】
その後、ＣＰＵ１２は、第２アイコン生成モード処理と同様に、画像生成処理にて生成されたアイコン画像のサイズを指定された状態又は処理の内容に合わせて、例えば、ＡＦ枠Ｉ１の基準サイズ等を考慮して調整する（ステップＳ３９）。
次に、ＣＰＵ１２は、第２アイコン生成モード処理と同様に、設定処理ルーチンにより、サイズ調整後のアイコン画像をテーブル記憶部９のアイコン画像テーブルＴ１に書き込んで、例えば、自動画像処理等の各種の状態又は処理と関連付けられた関連情報として設定する（ステップＳ４０）。
そして、アイコンの設定が終了するとデータメモリ１０に一時記憶されている撮像画像を破棄する（ステップＳ４１）。
これにより、第３アイコン生成モード処理を終了する。
【００５４】
以上のように、本実施形態の撮像装置１００によれば、電子撮像部２により生成された画像データに係る被写体画像中の特徴物Ｏ（図７（ａ）等参照）を検出する。即ち、表示部６に表示されている記録画像Ｆや電子撮像部２により撮像されたライブビュー画像Ｇから特徴物Ｏを検出する。
そして、撮像処理が行われると、撮像された画像中の特徴物Ｏを含む特徴物部分を抽出して当該特徴物部分に係るアイコン画像を生成して、当該アイコン画像をＡＦ枠Ｉ１、ストロボマークＩ２、電池残量マークＩ３、メモリ残量マーク、セルフタイマーマーク等の各種の状態又は処理と関連付けられた関連情報として設定する。
従って、予めユーザがアイコン画像として使用したい特徴物が検出された場合に、撮像処理を行うことで、撮像画像における当該特徴物をアイコン画像として設定することができ、所望のアイコン画像を簡便に得ることができる。
【００５５】
また、ユーザによる操作入力部８の所定操作に基づいて指定されたアイコンの基準形状に対応する特徴物Ｏを被写体画像の中から検出するので、アイコンの設定に係る所望のアイコンを指定するだけで、被写体画像の中から当該アイコンの形状に対応した特徴物Ｏを検出することができ、アイコンの設定をより簡便に行うことができる。
【００５６】
さらに、第１アイコン生成モード処理にて、特徴物Ｏが複数検出された場合に、複数の特徴物Ｏ、…のうち、記録画像Ｆ内で最大の特徴物Ｏを含む特徴物部分を抽出してアイコン画像を生成するので、記録画像Ｆの中で最も注目されていると考えられる特徴物からアイコン画像を生成することができ、アイコンの設定をより適正に行うことができる。
【００５７】
また、第２及び第３アイコン生成モード処理にて、特徴物Ｏが複数検出された場合に、複数の特徴物Ｏ、…のうち、ユーザにより選択された特徴物Ｏからアイコン画像を生成するので、ユーザ所望のアイコン画像を生成することができ、アイコンの設定をより適正に行うことができる。
【００５８】
さらに、アイコン画像の表示部６における表示態様を、当該アイコン画像と関連付けられた自動合焦処理等の各種の状態又は処理の状況に応じて変化させる。即ち、各種アイコンの画像と各種の状態又は処理の状況に応じた変化内容が対応付けられているアイコン画像テーブルＴ１に基づいて、各種の状態又は処理の状況に応じて、アイコン画像の数、大きさ、形状及び色のうち、少なくとも何れか一を変化させたり、アイコン画像を点滅させることができる。
従って、ユーザによりカスタマイズされて設定されたアイコン画像であっても、表示態様をより多彩なものとすることができ、撮像装置１００の使い勝手を向上させることができる。
【００５９】
なお、本発明は、上記実施形態に限定されることなく、本発明の趣旨を逸脱しない範囲において、種々の改良並びに設計の変更を行っても良い。
例えば、第１アイコン生成モード処理にて、記録画像Ｆ内で最大の特徴物Ｏからアイコン画像を生成するようにしたが、これに限られるものではなく、記録画像Ｆ内で最も中央に位置する特徴物Ｏに基づいて、当該特徴物Ｏを含む特徴物部分に係るアイコン画像を生成するようにしても良い。
かかる構成によれば、記録画像Ｆの中でより重要な（主要な）被写体からアイコン画像を生成することができ、アイコンの設定をより適正に行うことができる。
【００６０】
また、上記実施形態にあっては、第２及び第３アイコン生成モード処理にて、複数の特徴物Ｏ、…が検出された場合に、ユーザにより選択された特徴物Ｏからアイコン画像を生成するようにしたが、これに限られるものではなく、記録画像Ｆ内で最大の特徴物Ｏや最も中央に位置する特徴物Ｏに基づいて、当該特徴物Ｏを含む特徴物部分に係るアイコン画像を生成するようにしても良い。
【００６１】
さらに、上記実施形態にあっては、アイコン画像として、野球ボールの画像Ｉ１Ａやサッカーボールの画像Ｉ２Ａ等を例示したが、アイコン画像はこれに限られるものではなく、例えば、記録画像やライブビュー画像から人の顔を特徴物として抽出してアイコン画像として設定しても良い。
即ち、検出処理にて、記録媒体５から読み出された記録用画像データや電子撮像部２により生成された画像フレームから所定の顔検出方法を用いて顔を検出して、当該顔を抽出してアイコン画像として設定しても良い。かかる場合に、同一人物の様々な異なる表情の顔からアイコン画像を生成して、これらアイコン画像を各種の状態又は処理の状況に応じて異ならせることで、アイコンの表示態様を変化させることができる。
【００６２】
また、上記実施形態にあっては、アイコン生成処理として、第１〜第３アイコン生成モード処理を行うようにしたが、必ずしも全ての処理を行う必要はなく、これら第１〜第３アイコン生成モード処理のうち、少なくとも何れか一の処理を実行可能に構成されていれば良い。
【００６３】
さらに、上記実施形態にあっては、表示制御処理にて、テーブル記憶部９のアイコン画像テーブルＴ１に記憶されているアイコン画像の表示態様を各種の状態又は処理の状況に応じて変化させるようにしたが、これに限られるものではなく、複数の異なるアイコン画像を生成して、これらアイコン画像を各種の状態又は処理の状況に応じて異ならせることで、アイコンの表示態様を変化させるようにしても良い。
【００６４】
また、撮像装置１００の構成は、上記実施形態に例示したものは一例であり、これに限られるものではない。
さらに、上記実施形態にあっては、検出手段、画像生成手段、設定手段、表示制御手段としての機能を、ＣＰＵ１２によって所定のプログラム等が実行されることにより実現される構成としたが、これに限られるものではなく、例えば、各種機能を実現するためのロジック回路等から構成しても良い。
【図面の簡単な説明】
【００６５】
【図１】本発明を適用した一実施形態の撮像装置の概略構成を示すブロック図である。
【図２】図１の撮像装置のテーブル記憶部に記憶されるテーブルの一例を模式的に示す図である。
【図３】図１の撮像装置の表示部に表示される表示画面の一例を示す図である。
【図４】図１の撮像装置の表示部に表示される表示画面の一例を示す図である。
【図５】図１の撮像装置による第１アイコン生成モード処理に係る動作の一例を示すフローチャートである。
【図６】図１の撮像装置による第２アイコン生成モード処理に係る動作の一例を示すフローチャートである。
【図７】図６の第２アイコン生成モード処理における表示画面の一例を示す図である。
【図８】図１の撮像装置による第３アイコン生成モード処理に係る動作の一例を示すフローチャートである。
【符号の説明】
【００６６】
１００  撮像装置
１      撮像レンズ部
１ｂ    フォーカスレンズ
２      電子撮像部
３      撮像処理部
６      表示部
８      操作入力部
１１    プログラムメモリ
１２    ＣＰＵ
【図１】
2010087760.tif 000003
【図２】
2010087760.tif 000004
【図３】
2010087760.tif 000005
【図４】
2010087760.tif 000006
【図５】
2010087760.tif 000007
【図６】
2010087760.tif 000008
【図７】
2010087760.tif 000009
【図８】
2010087760.tif 000010